(57)【要約】【課題】  携帯用小銭入れとして、数種の硬貨を自動的に選別して収納するもので、使用者が硬貨の早出し早入れを容易にできる、複雑なメカニズム操作を必要としない簡単な構造のものを実現する。【解決手段】  選別収納する硬貨の種類に応じた数の硬貨の収納部２、３、４、５を縦方向直列に設けて、各収納部の上方は開放して上端に逆流防止カバー１７を設け、底部にはＶ字形傾斜面１１に選別作用をする瞬時に数枚の硬貨を同時通過させる長方形孔６、７、８を設けて、収納する硬貨の直径より小さい直径の硬貨は通過させて硬貨の自然落下により更に次の下の各収納部によって自動的に硬貨を選別収納する。【選択図】  図１
2005169037.tif 000002
【特許請求の範囲】
【請求項１】
多種の硬貨を所定位置に収納する複数の収納部（２、３、４、５）をベースシート（１）の縦方向直列に設け、各収納部（２、３、４、５）の上面は開放して上端に斜め下方向に突出した逆流防止カバー（１７）を設け、底面は硬貨選別エラーを防止するためのＶ字状傾斜面（１１）を形成して、複数枚の硬貨をも同時に通過させる共通幅でＶ字状傾斜面（１１）の対向面をほぼ等分に跨がって貫通する長さの異なる複数の長方形孔（６、７、８）を設け、各長方形孔（６、７、８）の長辺の長さを直ぐ次の下に収納する硬貨の直径に合わせて僅少の余裕を持たせた長さに設定して、上から下へ大きい直径の硬貨から小さい直径の硬貨へと順次、自動的に選別し収納することを特徴とする携帯用小銭入れ。
【発明の詳細な説明】
【技術分野】
【０００１】本発明は、多種類の硬貨を自動的に選別する機能を備えた携帯用小銭入れに関する。
【背景技術】
【０００２】携帯が容易で、多種類の硬貨を種類毎に分別して収容できる小銭入れは、ガマグチ型のもので内部に多数の仕切りを設けたものが従来から有り、使用者は各仕切りの中に予め自分で定めた場所に一定種類の硬貨を入れておいて、支払いの時に素早く硬貨を取り出し易いように工夫していた。しかし上記のガマグチ型では、硬貨を受け取った時は必ず各仕切りの中に硬貨を分類して入れておく必要が有り、使用者は面倒となる。即ち小銭入れからの取り出しは早いが、釣り銭を受け取ってからの仕切りの中の所定位置への小銭の収納は遅く手間の掛かるものとなる。【０００３】そこで、この不便を解消するための硬貨を自動的に選別して収納する機能を持った小銭入れが従来の特許文献にて提案されていた。（例えば、特許文献１参照。）
【特許文献１】特開平１０−１７９２２７（図１）
以下、特許文献１の図１により、従来、提案されていた硬貨選別機能付き小銭入れについて説明すると、図１の構成は、硬貨分配器である回動レバーによる硬貨選別機構を設けて、使用者が回動レバーを操作しストッパーを停止して硬貨入れ本体を振るなどして硬貨を選別収納する。その結果、硬貨を選別収納する目的は達成されるが、回動レバーを絶えず廻して選別収納するメカニズム操作を必要とする欠点が残されている。
【発明の開示】
【発明が解決しようとする課題】
【０００４】現時点での特許文献では、携帯用小銭入れの自動的に硬貨を選別する実用的なもので、硬貨の早出し早収納が極く簡単に即座にできるものが無く、有っても従来の特許文献のような使用者の面倒なメカニズム操作を必要とするもので、使用者にとっては扱いにくい感があり今一つ普及していない。そこで本発明では、この点を解決して使用者が従来の小銭入れと同じように扱っても、硬貨の出し入れは従来にない便利さを発揮するもを実現する。
【課題を解決するための手段】
【０００５】解決手段を図面によって説明すると、図１のように選別収納する硬貨の収納部２、３、４、５を縦方向直列に設け、各収納部は上面が開放され、底面には収納すべき硬貨を通さずに、それ以下の小さい直径の硬貨は通過する大きさの複数の長方形孔６、７、８を設けた。この長方形孔６、７、８の大きさを図４（Ａ）（Ｂ）（Ｃ）のように各収納部２、３、４、の上から順番に直径の大きい硬貨から順次収納される大きさに設定しておけば、本発明の使用者は釣り銭を受け取った時、ただ一番上の第一収納部に数種の硬貨が混在した釣り銭を入れるだけで、後は硬貨の自重で自然落下した各硬貨が各収納部の長方形孔６、７、８により自動的に選別されて、一定の収納部に一定の硬貨が収納されて完了する。即ち図５、図６に示すように、一番上の第一収納部２に一番大きい硬貨１３が収納され、二番目の第二収納部３に二番目に大きい硬貨１４が収納され、三番目の第三収納部４には三番目に大きい硬貨１５が収納され、最後に一番小さい硬貨１６は一番下の最下収納部５に収納されて各硬貨の収納は完了する。以上の本発明を成り立たせるに重要な要件は、硬貨を収納又は通過させるに必要な条件を備えた各長方形孔の形状及び大きさで、先ず大きさについての必要条件を述べると、各収納部２、３、４の各長方形孔６、７、８の大きさ決定条件は長方形の短辺である幅の寸法は少なくとも３枚以上の硬貨が瞬時に同時通過できる幅で、長辺方向寸法については各収納部２、３、４について異なり、各収納部に収納する硬貨より直径の小さい次の下の収納部に収納する硬貨に長方形孔を通過させるために、その硬貨の直径より僅かに大きい約０．５ｍｍ程度の余裕があれば良い。そして一番下の最下収納部５には、一番小さい硬貨１６が溜まるだけの収納で、本発明の選別機能は自動的に完了する。この動作の進行は硬貨の自然落下によるものであるから殆ど瞬時に終わり、使用者は進行中には何らのメカニズム操作も必要とせずに自動的に完了する。次に本発明のもう一つの必要な要件は各長方形孔周辺の形状で、図３の側面図に於いて各収納部２、３、４の底面の側面形状はＶ字形で、図１にて分かるように各長方形孔６、７、８左右端の立体形状はＶ字形傾斜面１１になっているので、各収納部２、３、４内を落下して来る硬貨はＶ字形傾斜面１１に沿って滑り落ちるため、各長方形孔６、７、８の左右方向寸法である長辺に平行に落下するよう強制されるため、硬貨の落下時に斜めになって左右方向寸法より大きい直径の硬貨をも通過させてしまう選別エラーを未然に防止する。この要件により、瞬時に２、３枚の硬貨を通過させたり図５のように数枚の硬貨が整然と並んで収納されたりすることができるので、自動選別機能の迅速化が可能となった。また、本発明を携帯時には上下を逆にして持つこともあり、その時は収納部内の硬貨が逆流して収納部外に脱落する恐れがあるので、ベースシート１と約４５度斜め下方向に幅１０ｍｍ程度で収納部の左右幅に合わせて突出したシート状の逆流防止カバー１７を図１の各収納部３、４、５の上部に設けた。その結果として、硬貨選別動作中の硬貨落下時の衝撃を緩和し、しかも落下時の硬貨の姿勢を常に各長方形孔の長辺と平行を保つ効果が有り、各長方形孔６、７、８左右端のＶ字形傾斜面１１の効果と相俟って、二重の選別エラー防止効果が生ずる。
【発明の効果】
【０００６】本発明の自動選別機能付き小銭入れを買物時に使用すると、使用者は受け取った釣り銭を数種の硬貨が混在したままで、ただ一番上の収納部に入れるだけで各硬貨は小銭入れの所定の収納部に収納され、支払いのため硬貨を取り出したい時は、所定の各収納部に硬貨が収納されているので、小銭での支払いの迅速化が可能となる。
【発明を実施するための最良の形態】
【０００７】図１によって説明すれば、基本的構成として軟質のプラスチック又は革のベースシート１に、ポリエチレン等のやや軟質の成形品である各収納部２、３、４、５  を接着して構成する。各収納部２、３、４、５の左右両端には布製の扇マチ１２が接着してあり、収納された硬貨を取り出す時に上が拡がって取り出し易いようにしてある。本発明では選別対象の硬貨として、一般的に自動販売機などで普及している硬貨の５００円と１００円、１０円及び１円を選んだ。この４種類はスーパーや百貨店でも釣り銭として用意してあり、これ以外の５円や５０円は意外と釣り銭として普及していないので、上記４種の硬貨を選別対象とすれば小銭入れの用途としては充分と見做して良い。各収納部２、３、４に於いての各長方形孔６、７、８の短辺である前後方向幅は約８〜１０ｍｍ程度が適当で左右方向の長辺の長さは、各収納部の直ぐ下の次に収納する硬貨の直径より僅かに大きい０．５ｍｍ程度の余裕があれば良い。即ち前記４種の硬貨で直径の大きい順に、一番上の第一収納部２には５００円銀貨、二番目の第二収納部３には１０円銅貨、三番目の第三収納部４には１００円銀貨、そして一番下の最下収納部５には１円アルミ貨を収納することにして各収納部２、３、４の各長方形孔６、７、８の寸法を決める。
【実施例１】
【０００８】図１は本発明を使用する時のベースシート１を展開した状態であるが、使用が終わって携帯する時は、図６のようにベースシート１を右端矢印（３）のように折り畳んで小型化するので更に携帯し易いものとなる。その折畳み法の手順を図３の側面図を変化させた図７により具体的に説明すると、先ず、最下収納部５を図の左端下の矢印（１）の方向に直ぐ上の収納部４に押し付けながら、更に矢印（２）の方向にシート中央部９以下の部分を上に曲げ上げてシート中央部９から上に押し付けて重ねる。そして矢印（３）のように、ベースシート１の上部にあるホック凸１８を相手側の最下収納部裏面にあるホック凹１９に嵌めて完了する。
【実施例２】
【０００９】上記実施例１と同様、携帯時の小型化を図り、更に使い易くするために、図８に示す形態に纏めることも出来る。即ち図７に於けるベースシート１上の各収納部２、３、４、５の間隔を出来るだけ少なくして図８のように下方に詰め、最下収納部５を１０のように上端を長く延ばしてホック凹１９を設け、図８の矢印（２）のようにベースシート１の上端を折り曲げて、ホック凸１８を相手側のホック凹１９に嵌めれば完了する。
【図面の簡単な説明】
【００１０】
【図１】  本発明を示す斜視図である。
【図２】  本発明を示す正面図である。
【図３】  本発明を示す側面図である。
【図４】  本発明を示す平面図（Ａ）と、図３でのＤ−Ｅ断面図（Ｂ）及びＦ−Ｇ断面図（Ｃ）である。
【図５】  図３でのＴ−Ｕ断面図に硬貨が収納された状態を追加した参考図である。
【図６】  図３の扇マチ１２を破断して、硬貨が収納された状態を追加した参考図である。
【図７】  本発明の実施例１の折畳み形態と折畳み手順を示す説明図である。
【図８】  本発明の実施例２の折畳み形態と折畳み手順を示す説明図である。
【符号の説明】
【００１１】  １  ベースシート
２  第一収納部
３  第二収納部
４  第三収納部
５  最下収納部
６  第一長方形孔
７  第二長方形孔
８  第三長方形孔
９  シート中央部
１０  実施例２の最下収納部
１１  Ｖ字形傾斜面
１２  扇マチ
１３  一番大きい硬貨
１４  二番目に大きい硬貨
１５  三番目に大きい硬貨
１６  一番小さい硬貨
１７  逆流防止カバー
１８  ホック凸
１９  ホック凹
【図１】
2005169037.tif 000003
【図２】
2005169037.tif 000004
【図３】
2005169037.tif 000005
【図４】
2005169037.tif 000006
【図５】
2005169037.tif 000007
【図６】
2005169037.tif 000008
【図７】
2005169037.tif 000009
【図８】
2005169037.tif 000010